(57)【要約】【課題】  インテリジェント化、ネットワーク化及び多機能化が可能で体積が小さいコンピュータバックミラーを提供する。【解決手段】  シェルボディ１２、透明ボディ１４及び映像ディスプレイ１６を備える。電子制御装置２０及びデータ処理装置を備え、電子制御装置２０に少なくとも１つの中央処理装置及びメモリが設けられ、データ処理装置に少なくとも１つの一定機能を実現可能とする機能モジュールを備える。中央処理装置は各機能モジュールに対して制御を行うことが可能である。コンピュータバックミラー１０は、中央処理装置とその他相応するシステムを一つにし、バックミラー内に取付け、多種のプロセッサ機能及びマルチメディアプロセッサのインテリジェント化ミラー両用の機能を備える多機能の電子製品である。【選択図】    図１
0003113531.tif 000002
【実用新案登録請求の範囲】
【請求項１】
シェルボディ、透明ボディ及び映像ディスプレイを備えるコンピュータバックミラーにおいて、
コンピュータバックミラーは電子制御装置及びデータ処理装置を備え、電子制御装置に少なくとも１つの中央処理装置及びメモリが設けられ、データ処理装置に少なくとも１つの一定機能を実現可能とする機能モジュールを備え、中央処理装置は各機能モジュールを制御することを特徴とするコンピュータバックミラー。
【請求項２】
前記コンピュータバックミラーは、音声システムを備え、中央処理装置は前記音声システムを通じてユーザーに音声内容を伝達することが可能で、プロセッサは音声指令に対して更なる処理を行うことが可能であることを特徴とする請求項１記載のコンピュータバックミラー。
【請求項３】
前記コンピュータバックミラーは、映像システムを備え、中央処理装置は前記映像システムを通じてユーザーに画像データを伝達することが可能で、プロセッサは画像指令に対して更なる処理を行うことが可能であることを特徴とする請求項１記載のコンピュータバックミラー。
【請求項４】
前記電子制御装置及びデータ処理装置は、無線通信電気回路を備え、中央処理装置は局エリア無線ネットワークを使用して無線装置と相互接続することを特徴とする請求項１記載のコンピュータバックミラー。
【請求項５】
前記中央処理装置は、局エリアネット無線を通じて接続し、音声映像及びその他内容をダウンロードすることが可能であることを特徴とする請求項４記載のコンピュータバックミラー。
【請求項６】
前記無線通信電気回路は、さらに衛星アンテナを備えることを特徴とする請求項４記載のコンピュータバックミラー。
【請求項７】
前記電子制御装置及びデータ処理装置は、ＧＰＳモジュールを備え、ＧＰＳモジュールは衛星アンテナ信号を受信可能で、車両の地理的位置を決定し、車両の走行に対して自主的にナビゲーション及び位置測定を行うことが可能であることを特徴とする請求項１記載のコンピュータバックミラー。
【請求項８】
前記電子制御装置及びデータ処理装置は、ＧＳＭ／ＣＤＭＡモジュールを備え、中央処理装置はＧＳＭ／ＣＤＭＡに対して制御を行い、コンピュータバックミラーを車搭載電話及び無線通信システムとすることを特徴とする請求項１記載のコンピュータバックミラー。
【請求項９】
前記電子制御装置及びデータ処理装置は、ＧＳＭ／ＣＤＭＡモジュールを備え、ＧＳＭ／ＣＤＭＡモジュールは通信部材と外部接続し、自動警報、調整管理及びハンズフリー機能を実現することを特徴とする請求項１記載のコンピュータバックミラー。
【請求項１０】
前記ＧＳＭ／ＣＤＭＡモジュールは、音声映像入力または出力インターフェース及び通信ラインインターフェースと相互接続し、音声及び画像データを１つの場所から別の場所へ伝送し、コンピュータバックミラーをＴＶ電話とすることを特徴とする請求項９記載のコンピュータバックミラー。
【請求項１１】
前記電子制御装置及びデータ処理装置は、車両データ診断専用モジュールを備え、車両データ診断専用モジュールは表示、制御、診断、データ伝送及び即時処理の自動診断過程を実現するために、中央処理装置と相互接続することを特徴とする請求項１記載のコンピュータバックミラー。
【請求項１２】
前記コンピュータバックミラーは、ＬＣＤ画像表示システムを備えることを特徴とする請求項１記載のコンピュータバックミラー。
【請求項１３】
前記コンピュータバックミラーは、ＵＳＢポート、挿込み接続可能なＣＦカード及びＳＤカード等のメモリカードを備えることを特徴とする請求項１記載のコンピュータバックミラー。
【請求項１４】
前記コンピュータバックミラーは、メモリ装置及びハードディスクドライブ装置を備えることを特徴とする請求項１記載のコンピュータバックミラー。
【請求項１５】
前記コンピュータバックミラーは、内設撮像ヘッドまたは接続入力可能な外設撮像ヘッドを備えることを特徴とする請求項１記載のコンピュータバックミラー。
【請求項１６】
前記コンピュータバックミラーは、撮像録画装置及びその他映像信号に接続入力することが可能であることを特徴とする請求項１記載のコンピュータバックミラー。
【請求項１７】
前記コンピュータバックミラーは、メモリ装置中より調べ出し、または、無線ネットワークを通じ、ゲームをダウンロードすることが可能で、コンピュータバックミラーを強大な機能を有するゲーム機とすることを特徴とする請求項１記載のコンピュータバックミラー。
【請求項１８】
前記電子制御装置及びデータ処理装置は、通信モジュールを備えることを特徴とする請求項１記載のコンピュータバックミラー。
【請求項１９】
前記電子制御装置及びデータ処理装置は、温度センサー、方向センサー及び距離センサーに接続入力可能なマイクロコントローラ（ＭＣＵ）を備えることを特徴とする請求項１記載のコンピュータバックミラー。
【考案の詳細な説明】
【技術分野】
【０００１】
本考案は、バックミラーに関し、特にコンピュータバックミラーに関する。
【背景技術】
【０００２】
現在、乗用車、貨物車または大型客車等のエンジン車のバックミラーは、運転者が車内状況や車外風景の観察、視野の拡大及び運転の安全性を高めるために便利であり、内部に電子ディスプレイを設けた多機能及び多用途のバックミラーであり、さらに撮像ヘッドと合わせて使用し、車の運転と車をバックさせる過程において、全面的に車両後部及び周囲の状況を観察し、運転時やバック時に人等との衝突事故を引き起こすことを減少するための両用バックミラーがかつて開発された。この種の両用バックミラーは、多機能及び多用途のバックミラーであり、電子スクリーンとミラーを組み合わせ、特殊技術で処理した方法を利用し、常態はミラーとして、但し、人為的な制御の下で、ミラー内の電子画像ディスプレイの画像をミラー面を通して見ることを可能にし、ミラーとの両用あるいは多目的用途を実現するものである。米国特許ＵＳ５，９３６，２３１と、ＵＳ５，９４０，１２０と、ＵＳ６，０５２，１６６と、ＵＳ６，１４２，９３３と、ＵＳ６，２２９，１９２と、ＵＳ６，３２６，６１３と、ＵＳ６，４０２，３２８において、上記の技術は開示されている。
【０００３】
しかしながら、科学技術の発展に伴い、コンピュータ等の高度な新技術の広範囲にわたる応用は、バックミラーはただ単に後方を観察するのみとする単一の機能または映像ディスプレイとバックミラー両用の機能のみとするバックミラーに対しての人々の認識を徹底的に変化させた。
【考案の開示】
【考案が解決しようとする課題】
【０００４】
本考案が解決しようと欲する技術問題は、コンピュータの中央処理装置とその他関連システムを一つにし、バックミラー内部に取付け、一般のバックミラーをインテリジェント化、ネットワーク化、多機能化し、さらに体積を小さくしてなるミラー両用のコンピュータバックミラーを提供することである。
【課題を解決するための手段】
【０００５】
本考案が採用する技術案は、コンピュータバックミラーにシェルボディ、透明ボディ、映像ディスプレイ、データ処理装置及び電子制御装置を含み、データ処理装置と電子制御装置には中央処理装置（ＣＰＵ）、メモリ及び多機能モジュールを設けることである。
【０００６】
本考案が到達した技術効果は、中央処理装置（ＣＰＵ）とその他相応するシステムを一つにし、バックミラー内に取付け、元来一般的なバックミラーを多種のプロセッサ機能及びマルチメディアプロセッサのインテリジェント化ミラー両用の機能を備えるものとし、バックミラーに元来の後方観察機能を保留するだけでなく、多機能電子製品としてなる多機能の電子製品についてである。
【考案を実施するための最良の形態】
【０００７】
以下に、図面を参照し、実施例と結び付けて本考案に対してさらなる記述を行う。
図１は、本考案の一実施例によるコンピュータバックミラーの分解斜視図である。
図２は、本考案の一実施例によるコンピュータバックミラーの内部のハード本体の構造を示すブロック図である。
【０００８】
図３は、本考案の一実施例によるコンピュータバックミラーの機能及び用途を示すブロック図である。
図４は、本考案の一実施例によるコンピュータバックミラーのＧＰＳナビゲーションシステムの実現を示すブロック図である。
【０００９】
図５は、本考案の一実施例によるコンピュータバックミラーの画像伝送、送受信またはＴＶ電話機能の実現を示すブロック図である。
図６は、本考案の一実施例によるコンピュータバックミラーの車両自動故障診断機能の実現を示すブロック図である。
【００１０】
本考案の一実施例による自動車コンピュータバックミラーは、中央処理装置（ＣＰＵ）とその他関連の周辺設備及びシステムをバックミラー内に取付け、多くの新しい機能を生み出すために、元来の後方を観察するだけのバックミラーにインテリジェントを備えさせ、同時に、本実施例はミラーを両用とする方法によって、バックミラーに元来の後方を観察する機能を保留させ、且つ多機能の電子製品としてなるようにする。
【００１１】
図１は、本考案の一実施例によるコンピュータバックミラー１０の分解斜視図を示しており、シェルボディ１２（フロントシェル及びバックシェルを含む）、透明ボディ１４、映像ディスプレイ（ＬＣＤ）１６、電子制御装置２０及びデータ処理装置（未図示）等を備えている。本実施例のコンピュータバックミラー１０の映像ディスプレイ１６は、超薄型ＬＣＤカラーまたはその他高クリア度のマイクロモニターとすることが可能で、ＯＳＤ、ＬＣＤ、ＬＥＤデジタル管等のデジタル処理もしくは図形ディスプレイ装置を採用することも可能である。本実施例のコンピュータバックミラー１０は電源２１（図２に示す）と接続する導線１８を提供し、電源２１はスイッチと制御装置を通じて制御を行い、電子システムのＯＮ／ＯＦＦ状態を制御する。本実施例のコンピュータバックミラー１０の電子制御装置２０は、バックミラーを一連のコンピュータシステム設備を備えたコンピュータバックミラーとするために、メインパネル２２、スイッチパネル２３及び制御パネル２４等の数個の電気回路ボードを備え、電子制御装置２０のメインパネル２２及び制御パネル２４上には数個の周辺設備インターフェース、機能モジュール及び専用プロセッサ等が設けられ、データ処理装置は作業システム、必要な応用プログラム及び使用するデータ等を備えるようにする。
【００１２】
コンピュータバックミラー１０は、中央処理装置（ＣＰＵ）、メモリ（ＲＡＭ、ＲＯＭ、Flash  Memory、ＳＤＲＡＭ等）、画像録画データ処理システム、言語処理システム、ＬＣＤ画像表示システム、ＵＳＢ等の外部接続ポート、内設可能なハードディスク（ＨＤ）、赤外線伝送器（ＩＲ）、挿し込み可能なＣＦカード、ＳＤ／ＭＭＣカード等のメモリカードを備える。本実施例のコンピュータバックミラー１０は、中央処理装置（ＣＰＵ）を有し、グローバルポジションシステム（ＧＰＳ）、無線ネットワーク伝送及びブルートゥース（Blue  Tooth）、その他関連システムと周辺設備を運用することが可能で、即時に交通情報、緊急救援サービス、車両状況の遠隔診断、モバイルネット接続、ＧＰＳ衛星ナビゲーション、自動位置測定システム、ミラー内コンピュータ、数種のオフィスソフトを有するオフィスシステム、ＧＳＭ、ＣＤＭＡ等の無線電話、ＴＶ電話、無線ＬＡＮのネットワークシステム、双方向ランドマークデータ伝送の警報、指揮管理システムの提供が可能で、強大な機能を有するゲーム機となることができ、車の各種状態データを表示し、運転者が直ちに車の種々の状況を理解すると同時に、制御キーもしくはリモコンによって制御及び多くのその他サービスを行えるという多項目の遠隔処理機能を与えることができるようにする。
【００１３】
まず、図２に本実施例のコンピュータバックミラー１０の電子制御装置２０のメインパネル２２、１つまたは複数の中央処理装置（ＣＰＵ）７２、マイクロプロセッサ、デジタル信号処理プロセッサあるいはその他適切なプロセッサを設けた制御パネル２４を示す。
【００１４】
コンピュータバックミラー１０の電子制御装置２０及びデータ処理装置は、複数のインターフェースまたは複数の専用プロセッサもしくはモジュールが設けられ、例えば、コンピュータバックミラー１０に接続入力することまたは内部に設置することが可能なＴＶインターフェース（ＴＶチューナー）６０、ＣＤＭＡチップボード、ＧＳＭチップボード６１のインターフェース、ＴＶ電話専用プロセッサもしくはインターフェース６２、ＧＰＳモジュール６３、ブルートゥース及び装置インターフェース６４、無線ネットワークカード及びインターフェース６５、さらに撮像ヘッドまたは外部撮像ヘッド入力インターフェース６９を備えている。
コンピュータバックミラー１０は、方向もしくは距離センサー６７、温度センサー６８及びその他の電子部品を接続入力することが可能である。
【００１５】
コンピュータバックミラー１０は、ＣＰＬＤ８２コンピュータプログラミングを実現可能とし、その周辺のメモリ装置８０はメモリ（ＳＤＲＡＭ）８４、フラッシュメモリ８６及びその他適切なメモリまたはメモリ装置を備えている。
【００１６】
コンピュータバックミラー１０の電子制御装置２０及びデータ処理装置は、さらに通信及び入力または出力ポート、高周波数または赤外線通信ポート８７及びＵＳＢポート８８を備え、通信及び入力または出力ポートはコンピュータバックミラー１０の周辺設備とその他装置の接続のために用いられ、コンピュータバックミラー１０の内部に設けることが可能である。
【００１７】
コンピュータバックミラー１０の中央処理装置７２または電子制御装置２０は、映像デコーダ９０、音声デコーダ９２をサポートすることが可能である。
コンピュータバックミラー１０は、さらに周辺設備を備え、周辺設備はＣＤ−ＲＯＭドライブ、ＤＶＤドライブまたはドライバ９３等のその他内設あるいは様式メモリ装置を備える。ドライバ９３は、読み取り専用でもよいし、書き込み操作をしてもよい。周辺設備は、さらにＣＦカード、ＳＤ／ＭＭＣカード、ＳＭＡＲＴカード等のインターフェースカード９４及びその他のデータ保存、データ読み取り可能な装置を備えている。
【００１８】
コンピュータバックミラー１０のエンターテインメントモジュール９５は、ゲーム機、電子制御装置２０及びデータ処理装置をサポートするＭＰ３、ＭＰＥＧ４またはその他音声映像のデコーダ機能を備える。
【００１９】
コンピュータバックミラー１０は、さらにコンピュータバックミラー１０が速度、温度、エンジン回転速度等の車の各種データを受信し、表示できるような車両故障診断専用プロセッサ及びインターフェース９６を備える。
【００２０】
コンピュータバックミラー１０の音声映像入力または出力システムは、少なくとも１つの音声映像（ＡＶ）入出力インターフェース９７を備え、使用時に、音声または映像信号を獲得または出力する。そして、別の現場の映像と音声を他のディスプレイ上に出力し、その他の音声映像信号装置の音声映像信号を本システムのディスプレイ上に入力して表示することができる。
【００２１】
コンピュータバックミラー１０は、さらにその他ＬＣＤ表示装置９８と互換可能である。
コンピュータバックミラー１０は、さらにナビゲーションモジュールのような通信モジュール９９を有し、関連機能を備えている。
コンピュータバックミラー１０は、さらに撮像ヘッド１０１が内部に設けられ、その機能は下記の外部接続撮像ヘッド１００と同様で、画像または写真のキャプチャーに用いられる。
【００２２】
上述に基づき、コンピュータバックミラー１０は、図２中の各種プロセッサ、モジュールあるいはインターフェースがバックミラー内に設置され、これより、本実施例のコンピュータバックミラー１０に機能多様なマルチメディア機能とインテリジェント化サービスを備えさせることを可能にしている。
【００２３】
図３に示すように、本実施例のコンピュータバックミラー１０は、ブルートゥース装置１６０、モバイルフォン通用プロセッサユニット１６１、撮影録画装置１６２、ＰＣ（パソコン）１６３、照像装置１６５及びその他互換可能な装置などの多種にわたる外部装置と互換可能である。これらの装置を通じて本コンピュータバックミラー１０に相応する機能を備えさせる。
【００２４】
本実施例のコンピュータバックミラー１０は、強大なプロセッサ機能と通信機能を利用し、交通状況監視システム１６７、緊急救援システム１６８、ＧＰＳナビゲーションシステム１６９及び自動位置測定システム１７０を実現可能とする。
コンピュータバックミラー１０は、ＧＰＳ衛星信号１７５を受信可能で、ＧＰＳ応用システムとしてなり、無線ネットワークサービス１７６を提供する。
【００２５】
本実施例のコンピュータバックミラー１０は、貨物車１７４、乗用車１７３、公共バス１７２及びその他規格のエンジン車両１７１に応用可能で、さらには船舶といった交通手段１７９にも応用可能である。
図４にＧＰＳ衛星ナビゲーションシステムを例として挙げ、本実施例のコンピュータバックミラー１０のインテリジェント化の実現過程を説明する。
【００２６】
コンピュータバックミラー１０に専用のＧＰＳ衛星受信アンテナ２００を内設または外部接続し、そこから衛星信号を受信し、衛星信号をＧＰＳモジュール６３に進入させてランドマークデータを出力し、メモリ装置８０中のマップデータ及びナビゲーションソフトシステムに保存する。ＣＰＵ７２の処理を経た後、ＬＣＤ映像ディスプレイ１６上のＬＣＤコントローラ１５を経て、マップ及び走車方向を表示し、運転者が車両走行過程において絶えず画面表示を獲得できるようにする。また、音声デコーダ９２の処理を経て、言語表示がなされる。マップデータ保存装置８０は、フラッシュメモリ（Flash  Memory）８６、メモリ（ＳＤＲＡＭ）８４、ドライバ９３がサポートするハードディスク９０３、ＣＦカード、ＳＤ／ＭＭＣカード、ＳＭＡＲＴ等のインターフェースカード９４及びその他記憶装置とすることができる。
【００２７】
コンピュータバックミラー１０の音声はスピーカー３００を通じて伝出され、スピーカー３００はコンピュータバックミラー１０の音声伝送システムの一部分である。ユーザーより送られた音声指令とその他データは、１つまたは複数のマイクロフォン（送話器）４００あるいは処理システム中の音声信号を通じてコンピュータバックミラー１０に受信される。また、特別な選択として、スピーカー３００のような音声装置は、画像表示と同時に多種の音声効果を提供できる。マイクロフォン（送話器）４００は、受信もしくはその他音声システムから送られてきた音声データを音声デコーダ９２で処理後、クリアな音声効果を発することができる。これより、ＧＰＳ自主ナビゲーションシステムにＧＰＳ衛星ナビゲーション位置測定、電子マップ閲覧検索、インテリジェントなルート計画、全プログラムの言語表示または即時音声記録の保存といった完璧な機能を備えさせる。
【００２８】
本実施例のコンピュータバックミラー１０は、赤外線通信ポート８７または音声データ伝送ポートを通じてＧＰＳナビゲーションシステムに対してリモコン操作を行うリモコン８９を配備する。リモコン８９はまた、例えば、ＴＶ電話システム、故障診断システム等のコンピュータバックミラー１０のその他システムに対してもリモコン操作を行うことが可能である。
【００２９】
本実施例のコンピュータバックミラー１０は、ＧＰＳ衛星位置測定システムが内設され、以下の機能を実現可能とする。
位置測定は、ＧＰＳアンテナの衛星信号受信を経て、内部システム処理の後、正確にその所在地の地理的位置（経緯度）を確定し、ＧＩＳに相応してＬＣＤディスプレイ上に表示されたマップ図案上に相応する位置を表示し、さらに記録としてマークすることができる。
【００３０】
速度測定は、ＧＰＳによる衛星信号の受信計算を経て、走行の具体的な速度を測定算出し、表示する。
ナビゲーション表示は、ＧＰＳのナビゲーション記録機能であり、車両の全行程が通過した道路及び１つ１つの道路が経過した距離を記録し、運転者が往路時の行程に沿って帰路できるよう導くための復路行程機能となる。
【００３１】
自主ナビゲーションは、記憶装置中のマップデータを利用し、リモコンもしくは手入力またはあいまい検索を経て電話、住所または番地等を検索し、目的地を入力することが可能で、システムは自動的にのぞましい道筋を作成して即時に導きを行い、さらにクリアな言語表示によってＧＰＳのナビゲーション機能を実現することが可能である。
【００３２】
本実施例のコンピュータバックミラー１０は、衛星位置測定システム技術（ＧＰＳ）の基礎に基づき、取付けられたＧＳＭあるいはＣＤＭＡ等の通用または専用チップボード６１が携帯電話と同範囲の通信機能を実現することができる。さらに、ブルートゥース技術を採用し、あらゆる関連設備が有効範囲内において相互にデータ交換を完成させ、データ伝達をさせることも可能である。
【００３３】
本実施例のコンピュータバックミラーは、以下の機能を実現できる。
安全防犯機能では、エンジン車に緊急状況もしくは盗難行為が発生した際、システムは手動または自動によってＳ．Ｏ．Ｓを発することが可能で、監視センターもしくは車の所有者がＳ．Ｏ．Ｓを受信すると、直ちに車両の所在位置を明確に示し、即刻反映して対応措置をとる。同時に、システムの監視、リモコンエンジン停止またはドアロック等の機能は突発事件の処理の際の手助けとなる。
【００３４】
自動通報機能では、エンジン車に事故もしくは紛失等の予想外の状況が発生した際、システムは自動的に通報装置を起動させる。監視センターあるいは車の所有者は、通報を受けた後、対応処置をとることが可能である。
【００３５】
調整管理機能では、監視コントロール指揮センターがエンジン車の地理的位置または／及び該場所の交通渋滞状況やその他情報を積極的に理解し、これより、管理者はエンジン車の運転者の要求に基づいて道案内を行い、エンジン車が最適な道筋を選択して走行するように指導することが可能となる。
【００３６】
ハンズフリー機能では、本システムはＧＳＭもしくはＣＤＭＡ技術との融合により、本実施例のコンピュータバックミラー１０を電話として用いることを可能とし、バックミラーを完全な携帯電話として直接通話を行えるようにする。ユーザーは、運転時、手動操作の必要なしで、音声によって完全に番号発信、電話の受信聴取、電話ＯＦＦ（通話終了）または音量調節等の機能を完成させ、ミラー内あるいはマイクロフォンと音響システムを通じてフルデュープレックスハンズフリー通話を行うことが可能となる。
【００３７】
データ検索機能では、権限を授けられたユーザーは電話もしくは内部の通信システムを通じて管理コントロールセンターが自動的に記録保存した車両動態データを検索することが可能で、さらにはインターネットのデータを閲覧することも可能である。
【００３８】
コンピュータバックミラー１０は、撮像ヘッド１０１が内設され、１つもしくは複数の外部接続撮像ヘッド１００と接続可能で、外部接続撮像ヘッド１００は車両後方に取付けられて交通状況を撮り込むことができ、車両の前方またはサイドに取付けられることも可能である。さらに、直接車内に取付けられ、車内状況を撮影することも可能である。撮像ヘッド１００は車内もしくは車外に取付け可能であり、車内の正確な取付け場所はフロントの計器パネル（車両の前方または車内後方に向けることもできる）、車両後部ウィンドウ（車両後方の交通状況に向けるようにする）、車両サイドのウィンドウ（車両の外側に向けるようにする）、さらにバックシートエリアに設置することも可能である。撮像ヘッド１００と撮像ヘッド１０１はケーブルまたは無線ネットワークを通じてコンピュータバックミラー１０に接続し、撮り込まれた画像は映像デコーダ９０を経て処理される。本実施例のコンピュータバックミラー１０の内部に設けられた撮像ヘッド１０１及び外設撮像ヘッド１００は、車内及び車外の監視を行い、即座にハードディスクまたはメモリカードに記録することが可能で、現場証拠の収集機能を実現する。エンジン車の運転者は室内に撮像ヘッドＣＣＤ画像カードを取付けた後、画像キャプチャー機能を実現し、ユーザーは現場証拠として画像を無線方式によってモニターセンターに伝送することが可能となる。
【００３９】
本実施例のコンピュータバックミラー１０は、画像の伝送、受信またはＴＶ電話機能の実現が可能である。図５に示すように、本実施例のコンピュータバックミラー１０の内設撮像ヘッド１０１は、通信ラインを経てＴＶ電話専用プロセッサまたはインターフェース６２と相互接続し、ＣＰＵ７２を通じて映像入力、インターフェース出力、音声入力、インターフェース９７及び通信ラインインターフェース９９の出力を一つにまとめ、映像画像がＬＣＤ映像ディスプレイ１６上に表示される。そして、音声及び画像等の多種データを１つの場所から別の場所へ伝送することを実現し、ＴＶ電話機能を実現する。本実施例のコンピュータバックミラー１０は、画像の受発送、監視、保存そして画像の録画と再生を行うことが可能である。
【００４０】
本実施例のコンピュータバックミラー１０は、車両が自動的に故障診断を行うことを可能とし、その過程は概ね以下の通りである。図６に示すように、本実施例のコンピュータバックミラー１０の電子制御装置２０に車両故障診断専用プロセッサ及びインターフェース９６が設けられ、ＣＰＵ７２の処理を経て、音声通報またはＬＣＤ映像ディスプレイ１６上に表示することを実現し、故障コード等のデータをアフターサービスセンターに発出し、アフターサービスセンターがサービスマンを派遣して修理する際、故障コード等のデータに基づき予め対応する部品や修理工具を準備することが可能となる。本実施例のコンピュータバックミラー１０は、車両が自動的に故障判断を行う過程において、表示、制御、データ伝送、診断並びに即時処理を実現することが可能であり、運転者によって即時処理を行うことも可能である。
【００４１】
本実施例のコンピュータバックミラー１０は、コンピュータバックミラーが１つの局エリアもしくは遠くの無線接続を通じて無線ネットワーク応用等の機能を実現するため、内部に無線伝送、監視あるいは伝送−受信を提供する無線接続モジュールを設置することが可能である。
【００４２】
本実施例のコンピュータバックミラー１０は、エンターテインメントゲーム機能を実現可能とし、ハードディスク９０３またはＣＦカード、ＳＤ／ＭＭＣカード、ＳＭＡＲＴ等のインターフェースカード９４及びその他記憶装置中に保存されたゲームを調べ出し、インストールシステムを経て、または、直接にエンターテインメントゲームを行うことが可能となり、さらに、無線ネットワークサポートの下で、ネットワーク上のゲームを行うことも可能である。
【００４３】
無線ネットワークの協力の下で、音楽または映画等のダウンロードを行うことが可能である。ユーザーは、ＭＰ３音楽及びＭＰＥＧ４ムービーを放送することが可能で、さらにソフトの無線ネットワークのグレードアップ等も実現可能とする。
【００４４】
本実施例のコンピュータバックミラー１０は、車のブラックボックス機能を備え、例えば、車両の実際の地理的位置、車内外の状況、各種音声、さらに予想外の状況に至るまでという車両の走行状態下での関連情報を完全に且つ正確に記録することができ、ハードディスクまたはモバイルメモリ装置に保存し、再現することが可能である。また、事故分析あるいは警告機能を有し、運転者が速度超過で走行した際に速度超過警報を発し、減速走行するように注意を与え、さらに車両の毎回の起動時間、走行キロ数、走行時間、最高速度及び毎回の最高速度の持続時間を詳細に記録する。さらには、窃盗防止機能が設けられている。多種データ処理を実現可能とし、車両の仕事状況を表示し、自己診断を行い、車速、エンジン回転速度、水温、油圧、ガソリン量、ガソリン消費量及びバッテリー電圧等の一系列のパラメータに対して監視コントロールを行い、走行速度、車両の地理的位置、電器システム、動作制御システム状況、エンジンシステムの温度及び油圧等の連続したより長い時間の記録を行う。
【００４５】
本実施例のコンピュータバックミラー１０は、ＴＶインターフェース６０においてＴＶ信号を受信し、ＣＰＵ７２を経て処理及び制御を行い、ＬＣＤ映像ディスプレイ１６上に対応するチャンネルのＴＶ番組を表示し、スピーカー３００を通じて音声を発出する。
【００４６】
見ての通り、本実施例の映像ディスプレイ部分は各種入力または出力装置もしくはソースから適切にデータを表示し、各種入力または出力装置もしくはソースはＴＶアンテナから受信してきたＴＶ放送だけでなく、グローバルポジションシステム（ＧＰＳ）または電子マップ装置、連続した実況画像または図や写真を電送するために用いられるディスプレイ、ソフトディスク、ハードディスク、ＣＤ−ＲＯＭまたはＣＦカード等のメモリカードからのデータをコンピュータで合成した画像もしくはデータもすべて無線ネットワークを通じてその他従来のあるいは今後の実用考案の各種タイプの映像及び音声装置と共にデータ処理を行うことが可能である。
【００４７】
コンピュータバックミラーは、スイッチと制御装置が設けられ、相応する機能または装置に対して操作制御を行うことが可能であり、各種キーとスイッチ等を備え、それはコンピュータバックミラーの下端、底端または背部に設けられている。キーは、デジタル数字キー、文字キー及び機能キー等を備え、デジタル数字キーと文字キーを混合した電話型キーを採用することも可能である。キーは、１つの完全なキーボードであるか、キーエリアのみあるいはその他に設置することができ、シールドソフトのリモコン等の制御部材を有することも可能である。スイッチは、電源スイッチ、音量調節スイッチ、明度調節スイッチ、衛星位置測定スイッチ、ＶＣＤ／ＤＶＤスイッチ、ＴＶ電話スイッチ等またはその他機能スイッチ、ダイヤルを備える。
【００４８】
コンピュータバックミラーのリモコンは、ＧＰＳナビゲーションシステム、交通状況監視システム及びＴＶ電話システム等に対して制御を行うことが可能で、内設のコンピュータ多種機能の選択または制御を行い、さらにカードア、カーウィンドウの開閉状態、エアバック、カーライト及び車内通電状況等の状況に対して制御を行うことができる。本実施例のリモコンは、赤外線リモコン、無線リモコン、ボイスコントロール等を採用し、ＴＶ、コンピュータ、音響リモコンまたは専用リモコン等としてなることが可能である。
【００４９】
本実施例のコンピュータバックミラーは、ＧＰＳ専用アンテナの他に、さらにＡＭアンテナ、ＦＭアンテナ、ＴＶ受信アンテナ、携帯電話アンテナ、局部アンテナ及びその他アンテナといった無線受信アンテナを使用することが可能である。異なるアンテナは、異なる通信設備と異なるＲＦ周波数がより良い通信信号を獲得できるようにする。さらに、多種規格の通信装置としてサービスを提供するために、混合アンテナを設計することも可能である。
【図面の簡単な説明】
【００５０】
【図１】本考案の一実施例によるコンピュータバックミラーを示す分解斜視図である。
【図２】本考案の一実施例によるコンピュータバックミラーの内部ハード本体の構造を示すブロック図である。
【図３】本考案の一実施例によるコンピュータバックミラーの機能用途を示すブロック図である。
【図４】本考案の一実施例によるコンピュータバックミラーのＧＰＳナビゲーションシステムの実現を示すブロック図である。
【図５】本考案の一実施例によるコンピュータバックミラーの画像の伝送、受信またはＴＶ電話機能の実現を示すブロック図である。
【図６】本考案の一実施例によるコンピュータバックミラーの車両自動故障診断機能の実現を示すブロック図である。
【符号の説明】
【００５１】
１０  コンピュータバックミラー、１２  シェルボディ、１４  透明ボディ、１６  映像ディスプレイ、１８  導線、２０  電子制御装置、２１  電源、２２  メインパネル、２３  スイッチパネル、２４  制御パネル、６０  ＴＶインターフェース、６１  チップボード、６２  インターフェース、６３  ＧＰＳモジュール、６４  装置インターフェース、６５  インターフェース、６７  距離センサー、６８  温度センサー、６９  入力インターフェース、７２  中央処理装置、８０  メモリ装置、８２  ＣＰＬＤ、８４  メモリ、８６  フラッシュメモリ、８７  赤外線通信ポート、８８  ＵＳＢポート、９０  映像デコーダ、９２  音声デコーダ、９３  ドライバ、９４  インターフェースカード、９７  音声映像入出力インターフェース、９８  ＬＣＤ表示装置、９９  通信ラインインターフェース、１００  撮像ヘッド、１０１  内設撮像ヘッド、１６０  ブルートゥース(Blue  Tooth)装置、１６１  モバイルフォン通用プロセッサユニット、１６２  ビデオ撮影装置、１６３  ＰＣ（パソコン）、１６５  照像装置、１６７  交通状況監視システム、１６８  緊急救援システム、１６９  ＧＰＳナビゲーションシステム、１７０  自動位置測定システム、１７１  その他規格のエンジン車両、１７２  公共バス、１７３  乗用車、１７４  貨物車、１７６  無線ネットワークサービス、１７９  その他交通手段、２００  ＧＰＳ衛星受信アンテナ、３００  スピーカー、４００  マイクロフォン（送話器）
【図１】
0003113531.tif 000003
【図２】
0003113531.tif 000004
【図３】
0003113531.tif 000005
【図４】
0003113531.tif 000006
【図５】
0003113531.tif 000007
【図６】
0003113531.tif 000008